(57)【要約】【課題】特定のコンテンツの取得時間を短くすることを目的とした従来のコンテンツの伝送方式では、コンテンツの更新頻度の少ない広告等を配信する場合、コンテンツの取得時間を短くすることは考慮されていない。また、放送システムにおいて映像・音声コンテンツと広告コンテンツを多重して送出する場合、広告コンテンツの送出速度が極端に変わると、映像・音声コンテンツの質を低下させる。【解決手段】本発明では、データコンテンツコントローラを追加することで、映像・音声コンテンツの質の低下を避け、エンドユーザが所望する地域特有または全国的な広告コンテンツを放送することができる。当コントローラで、外部から登録される広告コンテンツと共に広告の内容情報、配信する地域情報等を予め取得しておき、その情報を利用することで、特定地域、ジャンル、等に特化した特定したトランスポートストリームを生成する。【選択図】図1
2011244163.tif 000002
【特許請求の範囲】
【請求項１】
コンテンツを配信するコンテンツ生成装置において、
配信するコンテンツに含まれる複数の広告データの送出速度の総和をコンテンツ毎に一定になるよう各広告データの送出速度を算出する広告データ送出速度決定部と、
当該算出された送出速度に基づいて当該広告データを多重化し、コンテンツを生成する多重化部と、
を備えることを特徴とするコンテンツ生成装置。
【請求項２】
請求項１に記載のコンテンツ生成装置において、
前記広告コンテンツ送出速度決定部は、前記広告データのデータ量から前記各広告データの送出速度を算出することを特徴とするコンテンツ生成装置。
【請求項３】
請求項２に記載のコンテンツ生成装置において、
前記広告コンテンツ送出速度決定部は、前記コンテンツ内の複数の広告コンテンツデータのデータ量の総和から各広告コンテンツデータが占める割合を算出し、当該各広告コンテンツデータの割合と各コンテンツ毎に一定の前記送出速度の総和とを乗算することで、当該各広告コンテンツデータの送出速度を算出することを特徴とするコンテンツ生成装置。
【請求項４】
請求項１乃至３のいずれか一項に記載のコンテンツ生成装置を備えたコンテンツ配信システムであって、
前記コンテンツ生成装置は複数あり、当該複数のコンテンツ生成装置で生成された各コンテンツを多重化し当該多重化したコンテンツを配信する中継装置を備えることを特徴とするコンテンツ配信システム。
【請求項５】
請求項１乃至３のいずれか一項に記載のコンテンツ生成装置を備えたコンテンツ配信システムであって、
前記コンテンツ生成装置は複数あり、当該複数のコンテンツ生成装置で生成された各コンテンツを多重化し当該多重化したコンテンツをインターネット経由で配信するインターネットサービス提供装置を備えることを特徴とするコンテンツ配信システム。
【請求項６】
コンテンツを配信するコンテンツ生成方法において、
広告データ送出速度決定部により、配信するコンテンツに含まれる複数の広告データの送出速度の総和をコンテンツ毎に一定になるよう各広告データの送出速度を算出するステップと、
多重化部により、当該算出された送出速度に基づいて当該広告データを多重化し、コンテンツを生成するステップと、
を備えることを特徴とするコンテンツ生成方法。
【請求項７】
請求項６に記載のコンテンツ生成方法において、
前記広告コンテンツ送出速度決定部は、前記広告データのデータ量から前記各広告データの送出速度を算出することを特徴とするコンテンツ生成方法。
【請求項８】
請求項７に記載のコンテンツ生成方法において、
前記広告コンテンツ送出速度決定部は、前記コンテンツ内の複数の広告コンテンツデータのデータ量の総和から各広告コンテンツデータが占める割合を算出し、当該各広告コンテンツデータの割合と各コンテンツ毎に一定の前記送出速度の総和とを乗算することで、当該各広告コンテンツデータの送出速度を算出することを特徴とするコンテンツ生成方法。
【発明の詳細な説明】
【技術分野】
【０００１】
本発明は、放送システムを利用したデジタルサイネージシステムに関し、特に、広告などのコンテンツの配信に関し、放送システムから配信されるコンテンツを表示主となるエンドユーザが地域特有のコンテンツまたは全国的なコンテンツの中から選択し、エンドユーザが所望のコンテンツを表示させるデジタルサイネージシステムである。
【背景技術】
【０００２】
デジタルサイネージとは、一般家庭の外に設置されたディスプレイに広告などのコンテンツの映像を流す仕組みとして知られている。ディスプレイには通信機能が備わっており、その通信機能を用いて映像配信システムと通信しコンテンツ及び、これらコンテンツの編成を定義した編成データを受領し、その編成データに沿ってコンテンツを再生し、ディスプレイにその広告を表示させる。
【０００３】
また、コンテンツの伝送方式としてデータカルーセル方式が知られている。特許文献１では、データカルーセル方式において視聴者のコンテンツ取得時間を短くするための技術が開示されている。コンテンツを取得するための取得時間を短くするには、コンテンツを送出する際に送出するコンテンツの優先順位を付け、その優先順位に従い、優先順位の高いコンテンツを構成するコンテンツデータの送出速度を上げる。このことにより優先順位の高いコンテンツ程、視聴者がコンテンツデータを短い時間で取得出来るため送出頻度が向上する。
【先行技術文献】
【特許文献】
【０００４】
【特許文献１】特開２００５−９４０５１号公報
【発明の概要】
【発明が解決しようとする課題】
【０００５】
従来のコンテンツの伝送方式では、特定のコンテンツの取得時間を短くすることを目的としているため、コンテンツの更新頻度の少ない広告等を配信することを前提とした場合、コンテンツの取得時間を特段短くする必要が無い。また、放送システムにおいて映像・音声コンテンツと広告コンテンツを多重して送出する場合、広告コンテンツの送出速度が極端に変わることは、映像・音声コンテンツの質を低下させる原因にもなる。
【課題を解決するための手段】
【０００６】
そこで、本発明では、データコンテンツコントローラを追加することで、映像・音声コンテンツの質の低下を避け、エンドユーザが所望する地域特有または全国的な広告コンテンツを放送システムより提供する。
【０００７】
データコンテンツコントローラで、外部から登録される広告コンテンツと共に広告の内容情報、配信する地域情報等を予め取得しておき、その情報を利用することで、特定地域、ジャンル、等に特化した特定したトランスポートストリームを生成する。
【発明の効果】
【０００８】
本発明によれば、エンドユーザが所望した広告コンテンツを放送システムより配信し、法人エンドユーザにて広告コンテンツを受信出来、その受信した広告コンテンツを法人エンドユーザが所望した場所に広告コンテンツを表示出来る。
【図面の簡単な説明】
【０００９】
【図１】本発明の一実施の形態に係る放送システム構成図。
【図２】単一のトランスポートストリームの説明図。
【図３】単一のトランスポートストリームの説明図。
【図４】放送システム部内の多重化部の詳細説明図。
【発明を実施するための形態】
【００１０】
以下、本発明に係る放送システムについて、その実施の形態を図面を用いて説明する。
【００１１】
図１及び図２を用いて放送システムの概要を説明する。図１は、放送システムの概要を示す図であり、図２は単一のトランスポートストリームを説明する図である。
【００１２】
図１において、放送システム１０１で生成された特定のデータ部に暗号が施された単一のトランスポートストリーム１０４の群を中継部１０２及びンターネットサービス提供部１０３に対し配信する。中継部１０２では、放送システム部１０１から受信した特定のデータ部に暗号が施された単一のトランスポートストリーム群の中から法人エンドユーザが所望する特定のトランスポートストリームパケットのデータ部に暗号が施された単一のトランスポートストリーム１０４を選択するか特定のトランスポートストリームパケットのデータ部に暗号が施された単一のトランスポートストリーム１０４から映像・音声コンテンツまたは広告コンテンツを抽出し、特定のトランスポートストリームパケットのデータ部に暗号が施された単一のトランスポートストリーム１０４を再構築した上で法人エンドユーザまたは一般エンドユーザへ配信する。法人エンドユーザまたは一般エンドユーザでは、この中継部１０２から送信された特定のトランスポートストリームパケットのデータ部に暗号が施された単一トランスポートストリームから映像・音声コンテンツまたは広告コンテンツをSTB（Set-top box）にて選択、再生し、ディスプレイに表示させる。
【００１３】
インターネットサービス提供部１０３でも、中継部１と同様にトランスポートストリーム１０４を再構築する。再構築をした後は、インターネット通信規約(Transmission Control Protocol/Internet Protocol)に変更したIPパケットを法人エンドユーザまたは一般エンドユーザへ配信する。法人エンドユーザまたは一般エンドユーザでは、このインターネットサービス提供部１０３から送信されたIPパケットをＰＣにて映像・音声コンテンツまたは広告コンテンツを選択、再生し、ディスプレイに表示させる。
【００１４】
図２に、単一のトランスポートストリームの構成を示す。図示するとおり、単一のトランスポートストリームは複数のトランスポートストリームパケットから成り、トランスポートストリームパケットはヘッダ部とデータ部から成る。
【００１５】
図３のトランスポートストリームは、放送システムの多重化部２０６から出力されるトランスポートストリームの構成を示す。図３の通り多重化２０６から出力されるトランスポートストリームには、各法人エンドユーザが所望するトランスポートストリームが多重されている。このため放送システムから出力されたトランスポートストリームから各法人エンドユーザ所望するトランスポートストリームを中継部２１０またはインターネットサービス提供部２１６にて分離する。
【００１６】
再び図１に戻り、上述の処理をより詳細に説明する。放送システム部における多重化部２０６で、番組配列情報生成部２０１で生成された番組配列情報となるPSI(Program Specific Information)及びSI(Service Information)と映像・音声生成部２０２において非圧縮デジタル映像データ及び非圧縮音声データから圧縮し生成された映像・音声コンテンツと個別情報生成部２０３において生成された個別情報(ECM（Entitlement Control Message）)と番組情報生成部２０４において生成された番組情報(EMM(Entitlement Management Message))とデータカルーセル生成部２０５においてデータコンテンツコントローラ部２０７から通知された送出頻度すなわちエンドユーザがコンテンツを構成する全てのコンテンツデータ取得出来るまでの時間に従い、データコンテンツコントローラ部２０７より登録されたコンテンツを配信形態となるデータカルーセル形式にて全国的なコンテンツまたは地域特定コンテンツを単一のトランスポートストリームに多重化する。この時、複数のデータカルーセル生成部２０５から出力されるデータカルーセルの送出速度の総和が映像・音声コンテンツの質を低下させない範囲で常に一定になるように考慮することで、多重化部２０６で多重化する際には、映像・音声コンテンツの送出速度への影響を及ぼさず映像・音声コンテンツの質の低下を避けることが可能となる上、多重化部２０６における処理負荷も軽減出来る。また、データ量の多いコンテンツとデータ量の少ないコンテンツでは、データ量の多いコンテンツに対し、データカルーセル生成部２０５から多重化部２０６に入力されるデータカルーセルの送出速度の総和が常に一定になる範囲で、データ量の少ないコンテンツよりもデータカルーセルの送出速度を上げることで、データ量の多いコンテンツにおいても、極端な送出頻度の低下は避けられる。
【００１７】
多重化部２０６は多重化した単一トランスポートストリームを暗号化部２０８またはデータ形式変更部２０９に送信する。暗号化部２０８では、多重化部２０６から送信された単一のトランスポートストリームを構成する特定のトランスポートストリームパケットのデータ部に暗号を施す。暗号化部２０８では、特定のデータ部に暗号処理がされたが単一のトランスポートストリームを中継部２１０に送信する。中継部２１０では、放送システムから複数の暗号化部２１２から送出された単一トランスポートストリームをエンドユーザにてトランスポートストリームに含まれるコンテンツの内、各エンドユーザが所望のコンテンツを再生可能とするために先ず必要な各エンドユーザが所望するコンテンツが全て含まれる単一のトランスポートストリームを生成するために多重化部２１０にて付加データと受信広告コンテンツ決定通知情報を用いて、単一のトランスポートストリームを再構築する。
【００１８】
単一のトランスポートストリームの再構築を行う中継部２１０内の多重化部が各暗号化部２１２から送出された単一のトランスポートストリームを一元的に多重化することで中継部２１０内ではユニークなトランスポートストリームパケットIDを持つ単一のトランスポートストリームを生成出来ることなり、中継部２１０内でトランスポートストリームパケットIDの管理が容易となる。
【００１９】
中継部２１０で各暗号化部２１２から送出される単一のトランスポートストリームを多重化するために中継部２１０では、複数の暗号化部２０８から送信された単一のトランスポートストリームを受け取り、更に、データコンテンツコントローラ部２０７から送信された付加データと法人エンドユーザ２１１から送信された受信広告コンテンツ決定通知情報とを受け取る。ここでは、複数受信した単一のトランスポートストリームの中から、法人エンドユーザ２１１に送信する単一のトランスポートストリームまたは単一のトランスポートストリームを構成するトランスポートストリームパケットを抽出する。具体的には、付加データと受信広告コンテンツ決定通知情報とに基づき、付加データと受信広告コンテンツ決定通知情報の整合結果が一致する単一のトランスポートストリームまたは単一のトランスポートストリームを構成するトランスポートストリームパケットを抽出する。
【００２０】
ここで、付加データとは、広告の内容(観光、車、店、等)、配信したい地域・ジャンル、トランスポートストリームID、トランスポートストリームパケットIDを有し、決定通知情報 は、広告の内容(観光、車、店、等)、配信期間、配信したい地域・ジャンル、トランスポートストリームID、トランスポートストリームパケットID）、法人エンドユーザ識別を有す。続いて、上記抽出したストリームまたはパケットに番組配列情報であるPSI及びSIと個別情報(ECM)と番組情報(EMM)を再多重し、再多重した単一のトランスポートストリームから各々の法人エンドユーザ２１１に的確に広告コンテンツを配信するために、各法人エンドユーザ２１１より取得した受信広告コンテンツ決定通知情報(（広告の内容(観光、車、店、等)、配信期間、配信したい地域・ジャンル、トランスポートストリームID、トランスポートストリームパケットID）、法人エンドユーザ識別)と送信すべき受信広告コンテンツ決定通知情報内の法人エンドユーザ識別に則った法人エンドユーザとの整合をとり、中継部２１０内の多重化部にて再多重した単一のトランスポートストリーム３０１を法人エンドユーザ２１１毎に中継部２１０内の分離部で分離した単一のトランスポートストリーム３０１を各法人エンドユーザ２１１に送信する。
【００２１】
分離する際には、受信広告コンテンツ決定通知情報の内、トランスポートパケットIDを用いて中継部２１０内の多重化部から送出された単一のトランスポートストリームから必要なトランスポートストリームパケットを抽出し、ＰＳＩ及びＳＩ情報は複写し、その複写したＰＳＩ及びＳＩ情報とエンドユーザが所望するコンテンツのみが含まれることなるトランスポートストリームパケットを合わせて中継部２１０の分離部では単一のトランスポートストリームとしてエンドユーザに送出する。
【００２２】
法人エンドユーザ２１１では特定のデータ部に暗号が施された単一のトランスポートストリームをSTBにて暗号を解きディスプレイに表示する。具体的には、映像・音声コンテンツは平文化及び伸長し、広告コンテンツは平文化及び復号する。
【００２３】
また、中継部２１０では、一般エンドユーザ２１４に広告コンテンツを除いた映像・音声コンテンツを送信するために中継部２１０において付加データ（広告の内容(観光、車、店、等)、配信期間、配信したい地域・ジャンル、トランスポートストリームID、トランスポートストリームパケットID）を参照し、広告コンテンツを取り除いた映像・音声コンテンツのみの単一のトランスポートストリームまたは単一のトランスポートストリームを構成するトランスポートストリームパケットを抽出する。さらに番組配列情報であるPSI及びSIと個別情報(ECM)と番組情報(EMM)と抽出した映像・音声コンテンツを多重し、多重した単一のトランスポートストリームを一般エンドユーザ２１４に送信する。
【００２４】
一般エンドユーザ２１４では、特定のデータ部に暗号が施された単一のトランスポートストリームをSTBにて、映像・音声コンテンツを平文化及び伸長し、ディスプレイに表示する。
【００２５】
データ形式変更部２０９では、多重化部２０６から送信された単一のトランスポートストリームのデータ部における映像・音声コンテンツは伸長し、インターネット環境においてネットワーク負荷とならないようなＨ．２６４等のデータ形式に圧縮する。広告コンテンツはインターネット環境において再生が可能なHTML(HyperText Markup Language)またはデータXML(Extensible Markup Language)形式に変換する。そしてこれら圧縮または変換されたデータに、番組配列情報であるPSI及びSIと個別情報(ECM)と番組情報(EMM)を再多重し、再多重した単一のトランスポートストリームを暗号化部２１２に送信する。
【００２６】
暗号化部２１２では、データ形式変更部２０９から送信された特定のトランスポートストリームパケットのデータ部に暗号を施し、インターネットサービス提供部２１６に送信する。
【００２７】
インターネットサービス提供部２１６では、複数の暗号化部２１２から送信された、暗号が施された単一のトランスポートストリームの中から、法人エンドユーザ２１３に送信する暗号が施された単一のトランスポートストリームまたは、暗号が施された単一のトランスポートストリームを構成するトランスポートストリームパケットを、データコンテンツコントローラ部２０７から送信された付加データと法人エンドユーザ２１３から送信された受信広告コンテンツ決定通知情報の整合をとり、付加データと受信広告コンテンツ決定通知情報の整合結果が一致する暗号が施された単一のトランスポートストリームまたは、暗号が施された単一のトランスポートストリームを構成するトランスポートストリームパケットを抽出し、番組配列情報であるPSI及びSIと個別情報(ECM)と番組情報(EMM)を再多重する。
【００２８】
再多重した単一のトランスポートストリームから各々の法人エンドユーザ２１３に的確に広告コンテンツを配信するために、各法人エンドユーザ２１３より取得した受信広告コンテンツ決定通知情報と送信すべき受信広告コンテンツ決定通知情報内の法人エンドユーザ識別に則った法人エンドユーザとの整合をとり、インターネットサービス提供部２１６内の多重化部にて再多重した単一のトランスポートストリーム３０１を法人エンドユーザ２１３毎にインターネットサービス提供部２１６内の分離部で分離した単一のトランスポートストリームをインターネットサービス提供部２１６内のＩＰ変換部でインターネット通信規約(TCP/IP)に変更したＩＰパケットを法人エンドユーザ２１３に送信する。法人エンドユーザ２１３では、ＩＰパケットをPCにて、受信する。
【００２９】
PCでは、映像・音声コンテンツは平文化及び伸長し、広告コンテンツは平文化及び復号し、PCのディスプレイに表示する。また、インターネットサービス提供部２１６は、付加データを参照し、広告コンテンツを取り除いた映像・音声コンテンツのみの単一のトランスポートストリームを構成するトランスポートストリームパケットを抽出し、そのパケットと番組配列情報であるPSI及びSIと個別情報(ECM)と番組情報(EMM)をインターネットサービス提供部２１６内の多重化部にて再多重する。再多重した単一のトランスポートストリームをインターネットサービス提供部２１６内のＩＰ変換部でインターネット通信規約(TCP/IP)に変更したＩＰパケットを一般エンドユーザ２１５に送信する。一般エンドユーザ２１５では、ＩＰパケットをPCにて、受信し、映像・音声コンテンツは平文化及び伸長し、ディスプレイに表示する。
【００３０】
データコンテンツコントローラ部２０７には、全国的な広告コンテンツまたは地域特定広告コンテンツを配信したい法人等により全国的または地域特定広告コンテンツの広告の内容(観光、車、店、等)と配信期間、配信したい地域・ジャンル、配信データ(広告コンテンツ)が予め登録されている。これらの情報が登録されるとデータコンテンツコントローラ部２０７は、番組配列情報生成部２０１に対し、番組配列情報を生成するための素データを送信し、データコンテンツコントローラ部２０７にて生成した付加データを中継部２１０、法人エンドユーザ２１１、インターネットサービス提供部２１６及び法人エンドユーザ２１３に送信する。ここで、素データとは、番組配列情報（ＰＳＩ及びＳＩ）を生成するための元データ(コンテンツ名、コンテンツ開始時間、コンテンツ終了時間、音声モード、コンテンツの概要説明、等)となる。また、素データはコンテンツの提供元となる法人からデータコンテンツコントローラ部２０７が取得する。
【００３１】
データコンテンツコントローラ部２０７は、各データカルーセル生成部２０５に対し、広告の内容情報、配信する地域情報から登録された広告コンテンツの振り分けを実施し、各データカルーセル生成部２０５に広告コンテンツを送信する。その送信の際には、各データカルーセル生成部２０５は生成したデータカルーセル(広告情報)の送出速度を各多重化部単位での総計を一定とするために、データコンテンツコントローラ部２０７では、外部から登録された広告コンテンツのデータ量から、コンテンツの送出速度算出し、その送出速度を各データカルーセル生成部２０５に対し通知する。
【００３２】
例えば、図４に示すように、放送システム部内の多重化部４０４に接続されるデータカルーセル生成部がデータカルーセル生成部４０１、データカルーセル生成部４０２、データカルーセル生成部４０３である場合において、各データカルーセル生成部より送出されるコンテンツのデータ容量がそれぞれコンテンツデータ容量Da、コンテンツデータ容量Db、コンテンツデータ容量Dcとする。また、データコンテンツコントローラ部４０５がデータカルーセル生成部A４０１、データカルーセル生成部B４０２、データカルーセル生成部C４０３に通知するコンテンツデータの送出速度をそれぞれ送出速度Va、送出速度Vb、送出速度Vcとした場合、送出速度の総和(Va＋Vb＋Vc)が常に一定とする。この送出速度をデータコンテンツコントローラ部４５０内の広告コンテンツ送出速度決定部で算出し、データコンテンツコントローラ部４５０からデータカルーセル生成部A４０１、データカルーセル生成部B４０２、データカルーセル生成部C４０３に送出速度を通知し、これに従い各データカルーセル生成部は、コンテンツデータを送出する。ただしこの時、映像・音声生成部から送出される映像・音声コンテンツの送出速度として最低下確保したい送出速度以下になるようなコンテンツデータの送出速度の総和とする。放送システム部内の多重化部４０４から見ればコンテンツの入力速度が一定となるため、処理負荷が軽減される。また、データカルーセル生成部から入力されるコンテンツデータの入力速度は映像・音声コンテンツが最低限確保された入力速度であるため映像・音声コンテンツは最低限の品質を保った状態で多重化部４０４に入力され続けることとなる。またさらに、広告コンテンツが更新された際にも各データカルーセル生成部から多重化部４０４に入力されるコンテンツデータの入力速度の総和は一定であるため、映像・音声コンテンツの品質へ影響を及ぼさない。
【００３３】
また、図４において、各データカルーセル生成部より送出されるコンテンツのデータ容量の関係が、コンテンツデータ容量Da＜コンテンツデータ容量Db＜コンテンツデータ容量Dcとする。この時、コンテンツデータ容量が一番大きいコンテンツCの送出速度Vcの送出速度が一番大きくなるように各データカルーセル部から出力されるコンテンツデータの送出速度の関係を送出速度Va＜送出速度Vb＜送出速度Vcとする。そして、コンテンツデータ容量の総容量（コンテンツデータ容量Da＋コンテンツデータ容量Db＋コンテンツDc＝コンテンツデータ総容量D）と各コンテンツデータ容量の割合（コンテンツデータ容量Da／コンテンツデータ総容量D）に合わせ送出速度（送出速度の総和×コンテンツデータ容量の割合）をデータコンテンツコントローラ部４０５内の広告コンテンツ送出速度決定部で送出速度を算出し、各データカルーセル生成部に通知し、通知された送出速度に従い各データカルーセル生成部がコンテンツデータを送出することで、コンテンツデータの全てがエンドユーザまでに届く時間となる送出頻度は、一定とすることが出来る。
【００３４】
また、コンテンツデータ容量の大きいコンテンツCのみの送出頻度を上げるために、コンテンツA、コンテンツBの送出速度を下げ、下げた分の送出速度をコンテンツCの送出速度Cに追加することで、コンテンツCの送出頻度の向上を図ることも可能となる。
広告コンテンツはコンテンツの更新が頻繁に行われないと想定されるため、エンドユーザが広告コンテンツの取得するまでに要する時間が許容される範囲であるならば、特段、特定の広告コンテンツの送出頻度を向上させる必要はない。このため、本発明では、コンテンツの送出頻度は送出するコンテンツデータの送出速度の総和が一定となる範囲で一定としている。各データカルーセル生成部２０５では、データコンテンツコントローラ部から通知された送出速度に従いデータカルーセル(広告情報)を一定の送出速度で送出する。法人エンドユーザ２１１はデータコンテンツコントローラ２０７から受信した付加データを参照し、中継部２１０から受信したい広告コンテンツを決定し、受信広告コンテンツ決定通知情報を中継部２１０に通知する。また、法人エンドユーザ２１３ではデータコンテンツコントローラ２０７から受信した付加データを参照し、インターネットサービス提供部２１６から受信したい広告コンテンツを決定し、受信広告コンテンツ決定通知情報をインターネットサービス提供部２１６に通知する。
【符号の説明】
【００３５】
１０１・・放送システム部
１０２・・中継部
１０３・・インターネットサービス提供部
１０４・・単一のトランスポートストリーム
２０１・・番組配列情報生成部
２０２・・映像・音声生成部
２０３・・個別情報生成部
２０４・・番組情報生成部
２０５・・データカルーセル生成部
２０６・・多重化部
２０７・・データコンテンツコントローラ部
２０８・・暗号化部
２０９・・データ形式変更部
２１０・・中継部
２１１・・法人エンドユーザ
２１２・・暗号化部
２１３・・法人エンドユーザ
２１４・・一般エンドユーザ
２１５・・一般エンドユーザ
２１６・・インターネットサービス提供部
３０１・・法人エンドユーザ用トランスポートストリーム
【図１】
2011244163.tif 000003
【図２】
2011244163.tif 000004
【図３】
2011244163.tif 000005
【図４】
2011244163.tif 000006